(57)【特許請求の範囲】
【請求項１】
フロントパネルの開口に挿入されてホスト基板上に搭載される光トランシーバであって、
矩形状に形成されたハウジングと、
前記ハウジングの前記フロントパネル側に位置する第１側面に形成された第１孔部に挿入されるネジと、
前記ハウジングの左右方向に位置する第２側面から出没するラッチと、を備え、
前記ハウジングは、前記ネジ及び前記ラッチを収容する凹部を有し、
前記凹部は、前記ハウジングの前後方向における中心よりも前記フロントパネル側に形成されており、
前記光トランシーバは、前記凹部内において前記ラッチを収容するラッチホルダをさらに備え、
前記ラッチホルダは、前記ネジが螺合されるネジ穴を有し、前記ネジ穴に前記ネジが螺合されることによって前記フロントパネル側に移動し、
前記ラッチは、前記フロントパネル側への前記ラッチホルダの移動に伴って前記第２側面から斜めに突出する、
光トランシーバ。
【請求項２】
前記ラッチは、前記第１孔部に前記ネジが挿入され前記ネジが螺合されることによって前記第２側面から突出する、
請求項１に記載の光トランシーバ。
【請求項３】
前記ラッチは、前記ラッチの表面から突出する軸を備え、
前記ラッチホルダは、前記軸が挿入されて前記ハウジングの幅方向に延びる第２孔部を備え、
前記ハウジングは、前記軸が挿入されて前記ラッチホルダの移動方向に対して斜めに延びる溝を備えている、
請求項１又は２に記載の光トランシーバ。
【請求項４】
フロントパネルの開口に挿入されてホスト基板上に搭載される光トランシーバであって、
矩形状に形成されたハウジングと、
前記ハウジングの前記フロントパネル側に位置する第１側面に形成された第１孔部に挿入されるネジと、
前記ハウジングの左右方向に位置する第２側面から出没するラッチと、を備え、
前記ハウジングは、前記ネジ及び前記ラッチを収容する凹部を有し、
前記凹部は、前記ハウジングの前後方向における中心よりも前記フロントパネル側に形成されており、
前記光トランシーバは、
前記凹部内において前記ラッチを収容するラッチホルダと、
前記ラッチホルダ内で前記ラッチを前記ハウジングの外側に付勢することにより前記ラッチを前記第２側面から突出させる第１バネと、をさらに備えた、
光トランシーバ。
【請求項５】
前記凹部内において前記ネジに巻き付けられる第２バネを備え、
前記第２バネは、前記ネジを前記ハウジングの外側に付勢する、
請求項１〜４のいずれか一項に記載の光トランシーバ。
【請求項６】
フロントパネルの開口に挿入されてホスト基板上に搭載される光トランシーバであって、
矩形状に形成されたハウジングと、
前記ハウジングの前記フロントパネル側に位置する第１側面に形成された第１孔部に挿入されるネジと、
前記ハウジングの左右方向に位置する第２側面から出没するラッチと、を備え、
前記ハウジングは、前記ネジ及び前記ラッチを収容する凹部を有し、
前記凹部は、前記ハウジングの前後方向における中心よりも前記フロントパネル側に形成されており、
前記光トランシーバは、前記凹部内における前記ネジの先端に位置して前記ラッチを前記フロントパネルの反対側に押圧するラッチブロックをさらに備え、
前記ラッチは、前記ラッチブロックの押圧によって前記ハウジングに対して回転し、
前記ラッチが回転することにより、前記ラッチの一部が前記第２側面から突出する、
光トランシーバ。
【請求項７】
前記ラッチを前記フロントパネル側に押圧する第３バネを更に備える、
請求項６に記載の光トランシーバ。
【発明の詳細な説明】
【技術分野】
【０００１】
本発明は、ホストシステムに固定させる固定機構を備えた光トランシーバに関する。
【背景技術】
【０００２】
特許文献１には、光トランシーバに関するＭＳＡ（Multi-Source Agreements）仕様の一種であるＣＦＰ（Centum（100）gigabit Form-factor Pluggable）に準拠したプラガブル光トランシーバを備えた光トランシーバシステムが記載されている。この光トランシーバシステムは、光トランシーバとホストシステムとを含んでいる。光トランシーバは、上ハウジング及び下ハウジングによって構成されるハウジングと、２本のネジとフロントパネルとを備えている。２本のネジは、フロントパネルの両脇に設けられており、フロントパネルの前側から下ハウジングの後端にまで延在している。すなわち、２本のネジは、光トランシーバの略全長に亘って延在している。この光トランシーバは、２本のネジの先端をホストシステムの筐体に形成された孔部に係合させることにより、ホストシステムに接続される。
【先行技術文献】
【特許文献】
【０００３】
【特許文献１】米国特許第８，０９８，４９３号公報
【発明の概要】
【発明が解決しようとする課題】
【０００４】
上述したような光トランシーバシステムでは、２本のネジが光トランシーバの略全長に亘って延在しており、光トランシーバの両側が上記２本のネジで占有されているので、２本のネジが占めるスペースが大きいという問題がある。このようにネジが占有するスペースが大きくなっていることにより、光トランシーバシステムの内部における部品配置スペースを十分に確保することができないという問題もある。また、光トランシーバシステムでは、今後４００Ｇｂｐｓ等の高速化を実現させるにあたり、内部に搭載される部品のサイズが大きくなることが懸念される。このため、部品を配置するためのスペースを広げることが重要である。
【０００５】
本発明は、部品を配置するためのスペースを広げることができる光トランシーバを提供することを課題とする。
【課題を解決するための手段】
【０００６】
本発明の一形態に係る光トランシーバは、フロントパネルの開口に挿入されてホスト基板上に搭載される光トランシーバであって、矩形状に形成されたハウジングと、ハウジングのフロントパネル側に位置する第１側面に形成された孔部に挿入されるネジと、ハウジングの第２側面から出没するラッチと、を備え、ハウジングは、ネジ及びラッチを収容する凹部を有し、凹部は、ハウジングのフロントパネル側に形成されている。
【発明の効果】
【０００７】
本発明によれば、部品を配置するためのスペースを広げることができる。
【図面の簡単な説明】
【０００８】
【図１】図１は、第１実施形態に係る光トランシーバを備えた光トランシーバシステムを示す斜視図である。
【図２】図２は、ホストシステムを示す斜視図である。
【図３】図３は、図１の光トランシーバを示す斜視図である。
【図４】図４は、光トランシーバの内部構造を示す斜視図である。
【図５】図５は、ネジ、ラッチ及びラッチホルダを拡大させた斜視図である。
【図６】図６は、上ハウジングにおけるラッチ搭載用の凹部を示す斜視図である。
【図７】図７は、ラッチを示す斜視図である。
【図８】図８は、ラッチホルダを示す斜視図である。
【図９】図９は、ネジを示す斜視図である。
【図１０】図１０は、ネジによって光トランシーバをホストシステムに締結させる状態を示す図である。
【図１１】図１１は、第２実施形態に係る光トランシーバを示す斜視図である。
【図１２】図１２は、ネジ、ラッチ及びラッチホルダを拡大させた斜視図である。
【図１３】図１３は、ネジによって光トランシーバをホストシステムに締結させる状態を示す図である。
【図１４】図１４は、第３実施形態に係る光トランシーバを示す斜視図である。
【図１５】図１５は、ネジ及びラッチを拡大させた斜視図である。
【図１６】図１６は、ネジによって光トランシーバをホストシステムに締結させる状態を示す図である。
【発明を実施するための形態】
【０００９】
以下、添付図面を参照しながら本発明に係る光トランシーバの実施形態を詳細に説明する。なお、図面の説明において同一又は相当する要素には同一の符号を付し、重複する説明を省略する。
【００１０】
（第１実施形態）
図１は、光トランシーバシステム１を示す斜視図である。図１に示されるように、光トランシーバシステム１は、ホストシステム２と、ＭＳＡ（Multi-Source Agreement）仕様の一種であるＣＦＰに準拠した本実施形態の光トランシーバ１０とを備えている。
【００１１】
図２はホストシステム２を示す斜視図である。図３は光トランシーバ１０を示す斜視図である。図１〜図３に示されるように、ホストシステム２は、フロントパネル３と、ホスト基板４と、２本のレール５と、ホストコネクタ６とを備えている。光トランシーバ１０は、上ハウジング（ハウジング）１１と、下ハウジング１２と、光レセプタクル１３と、電気コネクタ１４と、ラッチ１５と、２本のネジ１６と、ラッチホルダ１７と、回路基板１９（図４参照）と、バネ２０（図５参照）とを備えている。
【００１２】
以下では、説明の便宜上、「前」、「後」、「上」、「下」、「左」及び「右」と方向を定めて説明を行う。フロントパネル３が設けられる側を前とし、その反対側であるホストコネクタ６が設けられる側を後とする。また、上ハウジング１１が設けられる側を上とし、その反対側である下ハウジング１２が設けられる側を下とする。そして、上下方向及び前後方向に直交する方向を左右方向とする。これらの方向は単に説明の便宜上のものであって、本発明の範囲を限定するものではない。
【００１３】
フロントパネル３は、ホストシステム２の前端において左右方向に延在している。フロントパネル３は、光トランシーバ１０が前後に挿通される矩形状の開口３ａを有する。ホスト基板４は、矩形状となっており、フロントパネル３の下端から後方に延在している。ホスト基板４上には、フロントパネル３の開口３ａから後方に挿通された光トランシーバ１０が搭載される。なお、フロントパネル３の開口３ａには、ＣＦＰで採用されている筒状のカウリングが取り付けられてもよい。
【００１４】
２本のレール５はホスト基板４の上面において左右一対に設けられており、各レール５はフロントパネル３の後側で後方に延在している。各レール５は、開口３ａから挿入された光トランシーバ１０をホスト基板４上で案内する。左右方向における各レール５の位置は開口３ａの外側となっている。また、各レール５は、ラッチ１５が掛け止めされる矩形状の凹部５ａを備えている。この凹部５ａは、２本のレール５間で互いに対向する側面５ｂに形成されている。前後方向における各凹部５ａの位置は互いに同一である。また、各凹部５ａは、レール５の前側（フロントパネル３側）に位置している。
【００１５】
ホストコネクタ６は、ホスト基板４の上面に設けられる。ホストコネクタ６は、直方体状を呈しており、２本のレール５の後方において左右方向に延在している。左右方向におけるホストコネクタ６の端部の位置は各レール５の内側となっている。ホストコネクタ６の前部には、電気コネクタ１４を嵌合させるための凹部６ａが形成されている。この凹部６ａには、フロントパネル３の開口３ａから後方に挿通された光トランシーバ１０の電気コネクタ１４が嵌合される。すなわち、光トランシーバ１０は、その水平度が２本のレール５によって維持されつつ、レール５間において後方にスライドされる。そして、光トランシーバ１０の後端に設けられた電気コネクタ１４がホストコネクタ６の凹部６ａに嵌合する。なお、このホストコネクタ６はホストコネクタカバーに収容されていてもよい。
【００１６】
図４は、下ハウジング１２を透明にして上ハウジング１１の内部構造を示した斜視図である。図４に示されるように、光トランシーバ１０は左右対称に形成されている。上ハウジング１１は、矩形状の開口を有する箱状を呈しており、光トランシーバ１０の上面及び側面を構成する。上ハウジング１１の前面（第１側面）１１ａにおける左右方向両端部には、ネジ１６を挿入させるための孔部（第１孔部）１１ｃが矩形状に形成されている。下ハウジング１２は、上ハウジング１１の開口を覆う矩形の蓋状となっている。光レセプタクル１３は、上ハウジング１１の前面１１ａの左右方向中央位置に形成された矩形状の孔部１１ｂに嵌合されている。
【００１７】
光レセプタクル１３の前側部分は露出された状態となっており、この露出された部分に２つの光学ポート１３ａが左右方向に並んで設けられている。２つの光学ポート１３ａは、それぞれ光送信、光受信に対応している。この２つの光学ポート１３ａに外部コネクタが接続されることによって光学的な結合が実現される。また、上ハウジング１１は、その後端で矩形状に突出する突出部１１ｆを備えており、電気コネクタ１４は突出部１１ｆの上方において左右方向に延在している。なお、この電気コネクタ１４はプラグコネクタに設けられていてもよい。
【００１８】
上ハウジング１１の左右方向に位置する側面（第２側面）１１ｄには、ラッチ１５及びラッチホルダ１７を露出させる矩形状の開口１１ｅが形成されている。この開口１１ｅは、光トランシーバ１０がフロントパネル３の開口３ａに挿入されたときに、レール５の各凹部５ａと対向する。各開口１１ｅは、上述したネジ１６が挿入される孔部１１ｃと連通している。また、側面１１ｄの内側には、孔部１１ｃから後方に延在すると共に開口１１ｅから内側に凹む凹部１１ｇが形成されている。この凹部１１ｇは、孔部１１ｃから開口１１ｅの後端まで前後方向に延在している。
【００１９】
図５は、図４のラッチ１５、ネジ１６及びラッチホルダ１７を拡大させた斜視図である。図４及び図５に示されるように、上ハウジング１１の各凹部１１ｇは、ラッチ１５、ネジ１６及びラッチホルダ１７を収容するために設けられている。各凹部１１ｇ内において、ラッチ１５及びラッチホルダ１７は、前後方向にスライド可能となっている。また、ラッチ１５は、上ハウジング１１の側面１１ｄから出没する。
【００２０】
上ハウジング１１の各凹部１１ｇは、上ハウジング１１の前側に位置している。よって、ラッチ１５、ネジ１６及びラッチホルダ１７も上ハウジング１１の前側に設けられることとなるので、上ハウジング１１の後側の空間を部品配置用の空間として有効利用することができる。本実施形態では、凹部１１ｇの後側に、光トランシーバ１０の駆動を制御する回路基板１９と、信号の送受信を行う光モジュールとが収容されている。回路基板１９の前端には光レセプタクル１３が設けられており、回路基板１９の後端には電気コネクタ１４が設けられている。
【００２１】
図６は、上ハウジング１１の凹部１１ｇを示す斜視図である。図６に示されるように、上ハウジング１１の開口１１ｅの奥側に位置する凹部１１ｇの底面１１ｈには、ラッチ１５の移動をガイドするための溝１１ｊが形成されている。この溝１１ｊは、平面視において斜めに湾曲するように形成されており、前方に向かうに従って上ハウジング１１の外側（図６では右側）に延びている。また、図５に示されるように、下ハウジング１２における溝１１ｊと対向する箇所にも、溝１１ｊと同様の溝１２ｊが形成されている。
【００２２】
図７は、ラッチ１５を示す斜視図である。図７に示されるように、ラッチ１５は、略直方体状を呈している。ラッチ１５は、上面（表面）１５ａから上方に突出する円柱状の軸１５ｃと、下面（表面）１５ｄから下方に突出し軸１５ｃの延長線上に設けられる円柱状の軸１５ｅと、ラッチ１５の前面１５ｆと左右方向に位置する一方の側面１５ｇとを矩形状に切り欠いて形成した溝１５ｈとを有する。平面視におけるラッチ１５の形状は台形状となっており、平面視において、前側の辺は後側の辺よりも長くなっている。
【００２３】
ラッチ１５の軸１５ｃは上ハウジング１１の溝１１ｊに挿入され、ラッチ１５の軸１５ｅは下ハウジング１２の溝１２ｊに挿入される。この状態でラッチ１５は溝１１ｊ，１２ｊに沿って斜め方向に摺動可能となる。また、溝１５ｈは、前方から挿入されたネジ１６を通すために設けられており、この溝１５ｈによってネジ１６はラッチ１５に接触しないようになっている。
【００２４】
図８は、ラッチホルダ１７を示す斜視図である。図８に示されるように、ラッチホルダ１７は、ラッチ１５を収容する凹部１７ａを有する略直方体状となっている。ラッチホルダ１７は、凹部１７ａの底面１７ｂにおいて左右方向（上ハウジング１１の幅方向）に延びる長円状の孔部（第２孔部）１７ｃと、ラッチホルダ１７の前面１７ｄにおいて前後に貫通して形成されたネジ穴１７ｅとを備えている。孔部１７ｃは、ラッチ１５の軸１５ｃを挿通させるために設けられる。この孔部１７ｃに軸１５ｃを挿通させることによって、ラッチ１５はラッチホルダ１７に対して左右方向にスライド可能となる。孔部１７ｃは、底面１７ｂの略前後方向中央位置で左右方向に延びるように形成されている。また、ネジ穴１７ｅの内周面には、ネジ１６を螺合させるための雌螺子１７ｆが形成されている。
【００２５】
図９は、ネジ１６を示す斜視図である。図９に示されるように、ネジ１６は、棒状の軸部１６ａと、軸部１６ａの途中部分に設けられてラッチホルダ１７の雌螺子１７ｆに螺合される雄螺子１６ｂと、軸部１６ａの一端に位置する円柱状の把持部１６ｃと、雄螺子１６ｂと把持部１６ｃとの間に位置するフランジ１６ｄとを備えている。軸部１６ａは、ラッチホルダ１７のネジ穴１７ｅに前方から挿入される。把持部１６ｃは、軸部１６ａに対して拡径された円柱状となっている。
【００２６】
図１０は、ネジ１６で光トランシーバ１０をホストシステム２に締結させる状態を示す図である。図１０に示されるように、バネ（第２バネ）２０は、ネジ１６の軸部１６ａに巻き付けられるコイルバネである。バネ２０は、ネジ１６を前方（上ハウジング１１の外側）に付勢すると共にラッチホルダ１７を後方に付勢する。このバネ２０によって、ネジ１６は、螺合が解除されたときに、前方に押されて初期状態（図１０（ａ）に示される状態）に戻るようになっている。バネ２０は、凹部１１ｇ内において、ラッチホルダ１７の前面１７ｄとフランジ１６ｄの後面との間に位置している。すなわち、バネ２０の一端は前面１７ｄに支持され、バネ２０の他端はフランジ１６ｄの後面に支持されている。
【００２７】
ここで、光トランシーバ１０におけるラッチ１５、ネジ１６、ラッチホルダ１７及びバネ２０の組み立てについて説明する。まず、図１０（ａ）に示されるように、下ハウジング１２を上ハウジング１１に取り付けていない状態において、フランジ１６ｄを孔部１１ｃの内側面１１ｋより後方に位置させた状態で、ネジ１６を上ハウジング１１の凹部１１ｇ内に挿入する。また、ネジ１６の軸部１６ａにバネ２０を巻き付けておく。
【００２８】
また、ラッチホルダ１７の前面１７ｄ及びネジ穴１７ｅを前方に向けた状態でラッチホルダ１７を凹部１１ｇ内に配置し、軸部１６ａの先端をネジ穴１７ｅに挿入させる。そして、前面１５ｆを前方に向けると共に軸１５ｃが孔部１７ｃに嵌り込むように、ラッチ１５をラッチホルダ１７に収容する。なお、予めラッチ１５をラッチホルダ１７に収容させた後にラッチホルダ１７を凹部１１ｇ内に配置してもよい。最後に、軸１５ｅが下ハウジング１２の溝１２ｊに挿入されるように下ハウジング１２を上ハウジング１１に取り付けることによって組み立てが完了する。
【００２９】
次に、上述したラッチ１５、ネジ１６、ラッチホルダ１７及びバネ２０を用いて、光トランシーバ１０をホストシステム２に固定させる方法について説明する。まず、光トランシーバ１０をホストシステム２に固定させていない初期状態において、フランジ１６ｄの前面は内側面１１ｋに当接し、軸１５ｃは孔部１７ｃの内側（図１０では右側）であって且つ溝１１ｊ，１２ｊの後端に位置している。
【００３０】
上述した初期状態において光トランシーバ１０をホストシステム２に固定させるには、まずバネ２０の付勢力に抗してネジ１６を後方に押し込み、把持部１６ｃを一方向（例えば時計回り）に回転させることによって、雄螺子１６ｂを雌螺子１７ｆに螺合させる。そして把持部１６ｃの一方向への回転を続けると、図１０（ｂ）に示されるように、把持部１６ｃの後面が上ハウジング１１の前面１１ａに当接すると共に、上記螺合の作用によってラッチホルダ１７が前方に移動する。
【００３１】
ラッチホルダ１７が前方に移動すると、ラッチ１５も共に前方に移動する。このとき、溝１１ｊ，１２ｊがラッチホルダ１７の移動方向に対して斜めに延びているので、ラッチ１５は、溝１１ｊ，１２ｊに沿って斜め前方に移動し、ラッチ１５の前面１５ｆは上ハウジング１１の側面１１ｄから外方に突出する。そして、外方に突出したラッチ１５は凹部５ａに入り込み、前面１５ｆが凹部５ａの前端面５ｃに当接する。
【００３２】
このように前面１５ｆを前端面５ｃに当接させることにより、ラッチ１５が凹部５ａに掛け止められ、レール５に対するラッチ１５の係合が実現される。この係合によって、ホストシステム２に対する光トランシーバ１０の装着を確実なものとすることができる。更に、ネジ１６を一方向に回すと、光トランシーバ１０が後方に押圧され、電気コネクタ１４がホストコネクタ６に嵌合し、最終的に光トランシーバ１０がホストシステム２に固定される。
【００３３】
また、ホストシステム２に対する光トランシーバ１０の固定を解除するには、ネジ１６を、上記一方向とは逆の他方向（例えば反時計回り）に回転させる。ネジ１６を他方向に回転させると、ネジ１６が前方に移動し、把持部１６ｃの後面が前面１１ａから離間する。そして、雄螺子１６ｂと雌螺子１７ｆとの螺合作用によってラッチホルダ１７が後方に移動する。
【００３４】
ラッチホルダ１７が後方に移動するとラッチ１５も後方に移動し、このとき、ラッチ１５は溝１１ｊ，１２ｊに沿って斜め後方に移動する。ラッチ１５が斜め後方に移動すると、外方に突出していたラッチ１５の一部（前面１５ｆ）が上ハウジング１１の開口１１ｅに入り込む。
【００３５】
そして、更にネジ１６を他方向に回転させると、ネジ１６が更に前方に移動すると共にラッチホルダ１７が更に後方に移動することによって、雄螺子１６ｂと雌螺子１７ｆとの螺合が解除される。このように螺合が解除されると、ネジ１６は、バネ２０の付勢力によって前方に押し出され初期状態となる。従って、螺合の解除に伴ってネジ１６が前方に押し出されるので、ネジ１６の螺合が解除されて初期状態になったことを判別しやすくなっている。
【００３６】
以上、光トランシーバ１０において、ラッチ１５及びネジ１６は、上ハウジング１１の前側に形成された凹部１１ｇ内に収容されている。よって、光トランシーバ１０では、２本のネジ１６が光トランシーバ１０の前側のみに設けられているので、ネジ１６が占めるスペースを小さくすることができる。このようにネジ１６が占めるスペースを小さくすることによって、内部における部品配置スペースを十分に確保することができる。従って、部品を配置するためのスペースを広げることができる。
【００３７】
また、ＣＦＰに準拠した光トランシーバ１０は、１４８個のピンが配置された電気コネクタ１４を備えている。このため、ホストシステム２のホストコネクタ６に電気コネクタ１４を挿入するときには大きな挿入力が必要である。そこで、本実施形態では、ネジ１６の螺合によってネジ１６の前方への移動が規制されるため、ネジ１６の螺合を電気コネクタ１４の挿入における補助力とすることができる。従って、ネジ１６を回すだけでより簡単に電気コネクタ１４の挿入を行うことができる。
【００３８】
また、ラッチ１５が入り込む凹部５ａは、光トランシーバ１０を案内するレール５の側面５ｂに形成されている。このようにレール５をラッチ１５の係合機構として利用することによって、部品点数を増やすことなく容易に上記係合機構を実現させることができる。
【００３９】
（第２実施形態）
図１１〜図１３を参照しながら、第２実施形態に係る光トランシーバ３０について説明する。以下では、第１実施形態と重複する説明を省略する。図１１〜図１３に示されるように、光トランシーバ３０は、板バネであるラッチバネ（第１バネ）３１と、ラッチ３２と、ラッチホルダ３３と、上ハウジング４１と、下ハウジング４２とを備えている。なお、図１１では、便宜上一部の図示を省略している。
【００４０】
上ハウジング４１は、前後方向に直線状に延在する溝４１ｊを備えており、下ハウジング４２も同様の直線状の溝を備えている。ラッチ３２は、略角柱状を呈しており、開口１１ｅから外方に突出する２つの側面３２ａ，３２ｂを有する。光トランシーバ３０をホストシステム２に挿入するとき、側面３２ｂがレール５に接触すると、側面３２ｂが斜面となっていることによりラッチ３２が凹み、光トランシーバ３０の挿入がスムーズになる。ラッチ３２は、ラッチホルダ３３からの抜けを防止するための切り欠き３２ｃを備えており、この切り欠き３２ｃは、ラッチ３２の前端及び後端において上下方向に延在している。また、ラッチ３２には、ネジ１６の軸部１６ａを挿入させるための穴部３２ｄが形成されている。この穴部３２ｄの内部において軸部１６ａは前後方向に移動自在となっている。
【００４１】
ラッチホルダ３３は、ラッチバネ３１とラッチ３２とを収容する凹部３３ａを備えた略直方体状となっている。凹部３３ａにおいて、ラッチバネ３１はラッチ３２の内側に収容される。凹部３３ａに収容された状態において、ラッチ３２は、ラッチバネ３１によって上ハウジング４１の外側に付勢されている。
【００４２】
ラッチホルダ３３は、ラッチ３２の切り欠き３２ｃに嵌め込まれる凸部３３ｂを備えており、この凸部３３ｂが切り欠き３２ｃに嵌め込まれることによってラッチホルダ３３からのラッチ３２の抜けが防止される。また、ラッチホルダ３３は、ハウジング４１，４２の溝に嵌め込まれる直線状の凸部３３ｄを有している。この凸部３３ｄがハウジング４１，４２の溝に嵌め込まれることによって、ラッチホルダ３３の前後方向への移動のみが許容される。
【００４３】
図１３に示されるように、光トランシーバ３０をホストシステム２に固定させるには、バネ２０の付勢力に抗してネジ１６を後方に押し込み、把持部１６ｃを一方向に回転させて雄螺子１６ｂを雌螺子１７ｆに螺合させる。そして、把持部１６ｃの一方向への回転を続けると、把持部１６ｃの後面が前面１１ａに当接すると共に、上記螺合の作用によってラッチホルダ３３が前方に移動する。
【００４４】
ラッチホルダ３３が前方に移動すると、ラッチ３２も前方に移動し、ラッチ３２の側面３２ａが凹部５ａの角部に形成されたテーパ面５ｄに当接する。このように側面３２ａをテーパ面５ｄに当接させることにより、ラッチ３２が凹部５ａに掛け止められ、レール５に対するラッチ３２の係合が実現される。この係合によりホストシステム２に対する光トランシーバ３０の装着を確実なものとすることができる。更に、ネジ１６を一方向に回すと、光トランシーバ３０が後方に押圧され、電気コネクタ１４がホストコネクタ６に嵌合し、光トランシーバ３０がホストシステム２に固定される。
【００４５】
また、ホストシステム２に対する光トランシーバ３０の固定を解除するには、ネジ１６を他方向に回転させる。ネジ１６を他方向に回転させると、ネジ１６が前方に移動しラッチホルダ３３及びラッチ３２が後方に移動するので、テーパ面５ｄから側面３２ａが離間する。そして、雄螺子１６ｂと雌螺子１７ｆとの螺合が解除されると、バネ２０の付勢力によってネジ１６が前方に押し出される。従って、第１実施形態と同様の効果が得られる。
【００４６】
（第３実施形態）
続いて図１４〜図１６を参照しながら第３実施形態に係る光トランシーバ５０について説明する。以下では、第１実施形態又は第２実施形態と重複する説明を省略する。光トランシーバ５０は、バネ（第３バネ）５１と、雌螺子５２ｄを有するネジ穴５２ａが設けられた上ハウジング５２と、矩形状に形成されるラッチ５３と、バネ５１の前端に設けられるバネブロック５４と、ネジ１６とラッチ５３との間に設けられるラッチブロック５５と、下ハウジング５６とを備えている。なお、図１４では、便宜上、一部の図示を省略している。
【００４７】
上ハウジング５２は、凹部１１ｇを前後に仕切る壁部５２ｂを備えており、この壁部５２ｂに上述したネジ穴５２ａが形成されている。ネジ穴５２ａは前後方向に貫通しており、ネジ穴５２ａに挿通された軸部１６ａの先端は、ネジ穴５２ａの後方に位置するラッチブロック５５に当接する。また、上ハウジング５２は、ラッチブロック５５の収容空間を形成する壁部５２ｃを備えている。
【００４８】
凹部１１ｇには、バネ５１とラッチ５３とバネブロック５４とラッチブロック５５とが収容されている。バネ５１の一端は凹部１１ｇの後端面１１ｍに支持されており、バネ５１の他端はバネブロック５４に支持されている。バネ５１は、バネブロック５４を前方に付勢するために設けられる。バネ５１としては、例えばコイルバネ又はトーションバネを用いることができる。
【００４９】
バネブロック５４は、直方体状を呈している。バネブロック５４は、凹部１１ｇにおいて前後方向に移動自在となっている。また、バネ５１の付勢力によって、バネブロック５４の一辺５４ａはラッチ５３の後側の側面５３ｆに当接している。この一辺５４ａは、バネブロック５４の前方且つ外側で上下に延在する辺である。
【００５０】
ラッチ５３は、ラッチ５３の上面から上方に突出する円柱状の軸と、ラッチ５３の下面５３ｃから下方に突出し上記軸の延長線上に設けられる円柱状の軸５３ｄとを備えている。また、凹部１１ｇの底面１１ｈには、ラッチ５３の軸が嵌め込まれる孔部が形成されており、下ハウジング５６には、軸５３ｄが嵌め込まれる孔部５６ｅが形成されている。ラッチ５３は、その軸がそれぞれ各ハウジング５２，５６の孔部に嵌め込まれることによって、上ハウジング５２に対して回転可能に保持される。
【００５１】
ラッチ５３の前側にはラッチブロック５５が当接されている。ラッチブロック５５は、直方体状を呈している。ラッチブロック５５は、凹部１１ｇ内で前後方向に移動可能となっている。ラッチブロック５５の前面には、軸部１６ａの先端が押圧されており、ネジ１６の後方への移動に伴ってラッチブロック５５も後方へ移動する。
【００５２】
図１６に示されるように、光トランシーバ５０をホストシステム２に固定させるには、雄螺子１６ｂを雌螺子５２ｄに螺合させてネジ１６を後方に移動させると共に、バネ５１の付勢力に抗してラッチブロック５５を後方に移動させる。ラッチブロック５５が後方に移動するとラッチブロック５５がラッチ５３に接触し、ラッチ５３が軸５３ｄを中心として回転すると共にバネブロック５４が後方に押し込まれる。このようにラッチ５３が回転すると、ラッチ５３の一部が側面１１ｄから突出し、ラッチ５３の前側の側面５３ｇが凹部５ａの前端面５ｃに当接する。
【００５３】
このように側面５３ｇを前端面５ｃに当接させることにより、ラッチ５３が凹部５ａに掛け止められ、レール５に対するラッチ５３の係合が実現される。この係合によりホストシステム２に対する光トランシーバ５０の装着を確実なものとすることができる。
【００５４】
また、ホストシステム２に対する光トランシーバ５０の固定を解除するには、ネジ１６を他方向に回転させてネジ１６を前方に移動させる。ネジ１６が前方に移動すると、バネ５１の付勢力によって、バネブロック５４が側面５３ｆを前方に押し込む。側面５３ｆを前方に押し込むと、ラッチ５３は、上記と逆方向に回転し、側面５３ｇが前端面５ｃから離間する。そして、突出していたラッチ５３の一部が開口１１ｅに入り込むことによって、ホストシステム２に対する光トランシーバ５０の固定が解除される。
【００５５】
また、ネジ１６を他方向に回転させると、雄螺子１６ｂと雌螺子５２ｄとの螺合が解除され、バネ５１の前方への付勢力がバネブロック５４、ラッチ５３及びラッチブロック５５を介してネジ１６に伝達される。従って、上記螺合の解除に伴ってネジ１６が前方に押し出されるので、第１実施形態と同様の効果が得られる。
【００５６】
また、第３実施形態では、光トランシーバ５０の挿入時（初期状態）にはラッチ５３が完全に開口１１ｅの中に入り込んだ状態となっている。よって、光トランシーバ５０の挿入がラッチ５３によって阻害されないので、ホストシステム２への光トランシーバ５０の挿入を確実に行うことができる。
【００５７】
以上、本発明の実施形態について説明したが、本発明は、上記実施形態に限られるものではなく、各請求項に記載した要旨を変更しない範囲で変形し、又は他のものに適用したものであってもよい。すなわち、本発明は、本発明の要旨を変更しない範囲で種々の変形が可能である。
【００５８】
例えば、上記実施形態では、ラッチがレール５の凹部５ａに入り込む例について説明したが、凹部５ａ以外の受入部に入り込んでもよい。例えば、ラッチをフロントパネル３又はバッカープレートの一部に入り込ませることも可能である。
【符号の説明】
【００５９】
１…光トランシーバシステム、２…ホストシステム、３…フロントパネル、３ａ…開口、４…ホスト基板、５…レール、５ａ…凹部、５ｂ…側面、５ｃ…前端面、５ｄ…テーパ面、６…ホストコネクタ、６ａ…凹部、１０，３０，５０…光トランシーバ、１１…上ハウジング（ハウジング）、１１ａ…前面（第１側面）、１１ｂ…孔部、１１ｃ…孔部、１１ｄ…側面（第２側面）、１１ｅ…開口、１１ｆ…突出部、１１ｇ…凹部、１１ｈ…底面、１１ｊ…溝、１１ｋ…内側面、１１ｍ…後端面、１２…下ハウジング、１２ｊ…溝、１３…光レセプタクル、１３ａ…光学ポート、１４…電気コネクタ、１５…ラッチ、１５ａ…上面（表面）、１５ｃ…軸、１５ｄ…下面（表面）、１５ｅ…軸、１５ｆ…前面、１５ｇ…側面、１５ｈ…溝、１６…ネジ、１６ａ…軸部、１６ｂ…雄螺子、１６ｃ…把持部、１６ｄ…フランジ、１７…ラッチホルダ、１７ａ…凹部，１７ｂ…底面、１７ｃ…孔部、１７ｄ…前面、１７ｅ…ネジ穴、１７ｆ…雌螺子、１９…回路基板、２０…バネ（第２バネ），３１…ラッチバネ（バネ）、３２…ラッチ，３２ａ，３２ｂ…側面，３２ｃ…切り欠き，３２ｄ…穴部、３３…ラッチホルダ，３３ａ…凹部、３３ｂ…凸部、４１…上ハウジング、４１ｊ…溝，４２…下ハウジング、５１…バネ（第３バネ）、５２…上ハウジング、５２ａ…ネジ穴、５２ｂ，５２ｃ…壁部、５２ｄ…雌螺子、５３…ラッチ、５３ｃ…下面、５３ｄ…軸、５３ｆ，５３ｇ…側面、５４…バネブロック、５４ａ…一辺、５５…ラッチブロック、５６…下ハウジング、５６ｅ…孔部。
【図１】
0006417848.tif 000002
【図２】
0006417848.tif 000003
【図３】
0006417848.tif 000004
【図４】
0006417848.tif 000005
【図５】
0006417848.tif 000006
【図６】
0006417848.tif 000007
【図７】
0006417848.tif 000008
【図８】
0006417848.tif 000009
【図９】
0006417848.tif 000010
【図１０】
0006417848.tif 000011
【図１１】
0006417848.tif 000012
【図１２】
0006417848.tif 000013
【図１３】
0006417848.tif 000014
【図１４】
0006417848.tif 000015
【図１５】
0006417848.tif 000016
【図１６】
0006417848.tif 000017